(57)【要約】【課題】弓の尖った先端が周囲の物や人に直接当たる事の無いように、弓の先端に確実に取り付けて接触から保護することができる、擦弦楽器の弓用保護具を提供する。【解決手段】擦弦楽器の弓用保護具１２は、弓１のヘッド６に巻き付けることが可能な幅及び長さを有するバンド１４と、バンド１４の長さ方向及び幅方向の中央部において当該バンド１４の片面に取り付けられた衝撃吸収部１６であって、バンド１４を弓１のヘッド６に巻き付けたときに弓１の先端１０を覆うように形成された衝撃吸収部１６と、を備え、バンド１４を弓１のヘッド６に巻き付けたときに弓１の先端１０を挿入するための挿入穴２０が、バンド１４の中央部を貫通して衝撃吸収部１６の内部の所定深さまで至るように形成されている。【選択図】図４
0003232420.tif 000002
【実用新案登録請求の範囲】
【請求項１】
擦弦楽器の弓の先端に着脱自在に取り付けられる、擦弦楽器の弓用保護具であって、
前記弓のヘッドに巻き付けることが可能な幅及び長さを有するバンドと、
前記バンドの長さ方向及び幅方向の中央部において当該バンドの片面に取り付けられた衝撃吸収部であって、前記バンドを前記弓のヘッドに巻き付けたときに前記弓の先端を覆うように形成された前記衝撃吸収部と、を備え、
前記バンドを前記弓のヘッドに巻き付けたときに前記弓の先端を挿入するための挿入穴が、前記バンドの前記中央部を貫通して前記衝撃吸収部の内部の所定深さまで至るように形成されている、
ことを特徴とする擦弦楽器の弓用保護具。
【請求項２】
前記衝撃吸収部の素材はフェルトである、請求項１に記載の擦弦楽器の弓用保護具。
【請求項３】
前記バンドの素材はフェルトである、請求項１又は２に記載の擦弦楽器の弓用保護具。
【請求項４】
前記バンドの両端部において、前記衝撃吸収部が取り付けられている面とは反対側の面に、一対の面ファスナーが設けられている、請求項１から３の何れか一項に記載の擦弦楽器の弓用保護具。
【考案の詳細な説明】
【技術分野】
【０００１】
本考案は、擦弦楽器の弓用保護具に係わり、特に、擦弦楽器の弓の先端に着脱自在に取り付けられる、擦弦楽器の弓用保護具に関する。
【背景技術】
【０００２】
ヴァイオリン、ヴィオラ等の擦弦楽器においては、演奏時に弓が用いられる。この弓は、概略的に、弓の本体を成す棹と、棹の両端の間に張り渡された弓毛とを備えている（例えば特許文献１参照）。
【先行技術文献】
【特許文献】
【０００３】
【特許文献１】実登第３１８１０８７号公報
【考案の概要】
【考案が解決しようとする課題】
【０００４】
弓の先端は、端部に向かうほど細くなる尖った形状をしている。このため、特に演奏に慣れていない初心者や子供が演奏を行うときに、弓の先端の位置に注意が向かず、近くにいる人に尖った弓の先端を当てて怪我を負わせてしまうおそれがある。そこで、何らかの保護部材を弓の先端に装着することが考えられる。しかしながら、上述のように弓の先端は端部に向かうほど細くなっているので保護部材が脱落しやすいという問題がある。
【０００５】
本考案は、上述した従来技術の問題点を解決するためになされたものであり、弓の尖った先端が周囲の物や人に直接当たる事の無いように、弓の先端に確実に取り付けて接触から保護することができる、擦弦楽器の弓用保護具を提供することを目的とする。
【課題を解決するための手段】
【０００６】
上記の目的を達成するために、本考案は、擦弦楽器の弓の先端に着脱自在に取り付けられる、擦弦楽器の弓用保護具であって、弓のヘッドに巻き付けることが可能な幅及び長さを有するバンドと、バンドの長さ方向及び幅方向の中央部において当該バンドの片面に取り付けられた衝撃吸収部であって、バンドを弓のヘッドに巻き付けたときに弓の先端を覆うように形成された衝撃吸収部と、を備え、バンドを弓のヘッドに巻き付けたときに弓の先端を挿入するための挿入穴が、バンドの中央部を貫通して衝撃吸収部の内部の所定深さまで至るように形成されている、ことを特徴とする。
このように構成された本考案においては、弓の先端を挿入穴に挿入した状態で、バンドをヘッドに巻き付けて固定することにより、衝撃吸収部を、弓の先端を覆っている状態で固定することができる。特に、挿入穴がバンドの中央部から衝撃吸収部まで貫通するように形成されているので、バンドをヘッドに巻き付けて固定したときに、挿入穴と弓の先端とがバンドの長手方向に沿って直線的に配列される。その結果、ヘッドの先端を挿入穴に差し込む方向に沿ってバンドの締結力を作用させることができるので、衝撃吸収部をヘッドの先端に確実に固定することができる。これにより、弓の尖った先端が周囲の物や人に直接当たる事の無いように、弓の先端を接触から保護することができる。
【０００７】
また、本考案において、好ましくは、衝撃吸収部の素材はフェルトである。
このように構成された本考案においては、尖った弓の先端を接触から保護するように衝撃を吸収できる。また、弓の重さはヴァイオリン用のもので６０ｇ程度と極めて軽量なため、弓の重量バランスが崩れると演奏にも悪影響が及ぶが、フェルトは軽量であるので弓用保護具を弓に取り付けたときに弓の重量バランスを崩すことがなく、更に弓に傷を付けることも防止できる。
【０００８】
また、本考案において、好ましくは、バンドの素材はフェルトである。
このように構成された本考案においては、弓のヘッドに容易に巻き付けることができ、また、軽量であるので弓に取り付けたときに弓の重量バランスを崩すことがなく、弓に傷を付けることも防止できる。
【０００９】
また、本考案において、好ましくは、バンドの両端部において、衝撃吸収部が取り付けられている面とは反対側の面に、一対の面ファスナーが設けられている。
このように構成された本考案においては、バンドをヘッドに巻き付けた状態でしっかりと固定することができる。また、面ファスナーは着脱自在なので、弓用保護具を使用しないときには容易に弓から取り外すこともできる。
【考案の効果】
【００１０】
本考案による擦弦楽器の弓用保護具によれば、弓の尖った先端が周囲の物や人に直接当たる事の無いように、弓の先端を接触から保護することができる。
【図面の簡単な説明】
【００１１】
【図１】本考案の実施形態による擦弦楽器の弓用保護具を取り付けた弓の概略側面図である。
【図２】本考案の実施形態による擦弦楽器の弓用保護具の斜視図である。
【図３】本考案の実施形態による擦弦楽器の弓用保護具の三面図である。
【図４】本考案の実施形態による擦弦楽器の弓用保護具を取り付けた弓の先端を示す側面図である。
【考案を実施するための形態】
【００１２】
以下、添付図面を参照して、本考案の実施形態による擦弦楽器の弓用保護具を説明する。
【００１３】
まず、図１により、本実施形態による擦弦楽器の弓の概略を説明する。図１は、本実施形態による弓用保護具を取り付けたヴァイオリンの弓の概略側面図である。図１に示すように、弓１は、弓１の本体を成す棹２と、棹２の両端の内演奏者が把持する側の端部（以下、「基端」という）に設けられた毛箱４と、棹２の基端とは反対側の端部に位置するヘッド６と、毛箱４とヘッド６との間に張り渡された弓毛８とを備えている。ヘッド６の先端１０（つまり弓１の先端１０）は、端部に向かうほど細くなる尖った形状をしており、本実施形態の弓用保護具１２は、この先端１０に着脱自在に取り付けられるようになっている。なお、本実施形態では弓用保護具１２をヴァイオリンの弓１に適用した場合を例示しているが、ヴィオラ、チェロ、及びコントラバスの弓に適用しても良く、これらのヴァイオリン属以外の擦弦楽器の弓に適用しても良い。
【００１４】
次に、図２及び図３により、本実施形態による擦弦楽器の弓用保護具１２の詳細を説明する。図２は、本実施形態による擦弦楽器の弓用保護具１２の斜視図であり、図３は、本実施形態による擦弦楽器の弓用保護具１２の三面図である。
【００１５】
図２及び図３に示すように、弓用保護具１２は、細長い帯状のバンド１４と、バンド１４の長さ方向及び幅方向の中央部において当該バンド１４の片面に取り付けられた衝撃吸収部１６とを備えている。
【００１６】
バンド１４は、弓１のヘッド６に巻き付けることが可能な幅及び長さを有している。例えば、ヴァイオリンの弓１に用いる場合、バンド１４の幅は５ｍｍ〜１５ｍｍであり、長さは５０ｍｍ〜７０ｍｍであるのが好ましいが、これに限定されない。バンド１４の素材は、弓１のヘッド６に巻き付けられるように柔軟であるのが好ましい。また、弓１の重さはヴァイオリン用のもので６０ｇ程度と極めて軽量なため、弓１の重量バランスが崩れると演奏にも悪影響が及ぶ。したがって、バンド１４の素材は、弓１に取り付けたときに弓１の重量バランスを崩さないように軽量であり、且つ、弓１に傷を付けないことも求められる。これらの要求を満たす素材として、本実施形態ではフェルトを採用している。ただし、上記の要求を満たすものであれば、他の軽量且つ柔軟性のある素材（例えば布、ゴム、ウレタンフォーム等）を用いても良い。また、バンド１４の片面の両端部には、一対の面ファスナー１８Ａ、１８Ｂが設けられている。バンド１４を弓１のヘッド６に巻き付けたときに、向かい合うこれらの面ファスナー１８Ａ、１８Ｂを互いに結合することにより、バンド１４をしっかりとヘッド６に固定することができる。また、面ファスナー１８Ａ、１８Ｂは着脱自在なので、弓用保護具１２を使用しないときには容易に弓１から取り外すこともできる。
【００１７】
衝撃吸収部１６は、ヘッド６の先端１０を覆って接触から保護するためのものであり、バンド１４の面ファスナー１８Ａ、１８Ｂが設けられている面とは反対側の面において、バンド１４の長さ方向及び幅方向の中央部に取り付けられている。衝撃吸収部１６の素材は、尖ったヘッド６の先端１０を接触から保護するように衝撃を吸収でき、且つ、バンド１４と同様に弓１を傷つけず軽量であることが求められる。そこで、本実施形態ではバンド１４と同じくフェルトを衝撃吸収部１６の素材としている。ただし、上記の要求を満たすものであれば、他の軽量且つ衝撃吸収性のある素材（例えば布、ゴム、ウレタンフォーム等）を用いても良い。また、衝撃吸収部１６は、ヘッド６の先端１０を覆えるように形成されており、本実施形態では直径２０ｍｍ〜３０ｍｍの球状に形成されている。ただし、衝撃吸収部１６の形状は球形に限られず、ヘッド６の先端１０を覆うことができるのであれば他の形状（例えば円柱や立方体等）でも良く、動物やキャラクターの形を模したものでもよい。この衝撃吸収部１６は、例えば糸を用いてバンド１４に縫い付けられている。
【００１８】
更に、バンド１４と衝撃吸収部１６には、バンド１４を弓１のヘッド６に巻き付けたときにヘッド６の先端１０を挿入するための挿入穴２０が形成されている。具体的には、挿入穴２０は、バンド１４の中央部を貫通して衝撃吸収部１６の内部の所定深さまで至るように形成されている。挿入穴２０の直径及び深さは、ヘッド６の先端１０の一部を挿入可能な寸法であればよく、例えば直径が２ｍｍ〜５ｍｍ、深さが５ｍｍ〜１０ｍｍである。
【００１９】
次に、図４を参照して、本実施形態による弓用保護具１２の使用態様を説明する。図４は、本考案の実施形態による擦弦楽器の弓用保護具１２を取り付けたヘッド６の先端１０を示す側面図である。
【００２０】
弓１に弓用保護具１２を取り付けて使用する場合には、ヘッド６の先端１０を弓用保護具１２の挿入穴２０に挿入した状態で、バンド１４をヘッド６に巻き付けて面ファスナー１８Ａ、１８Ｂを結合する。これにより、衝撃吸収部１６を、ヘッド６の先端１０を覆っている状態で固定することができる。特に、挿入穴２０がバンド１４の中央部から衝撃吸収部１６まで貫通するように形成されているので、バンド１４をヘッド６に巻き付けて固定したときに、挿入穴２０、ヘッド６の先端１０及び面ファスナー１８Ａ、１８Ｂがバンド１４の長手方向に沿って直線的に配列される。その結果、ヘッド６の先端１０を挿入穴２０に差し込む方向に沿ってバンド１４の締結力を作用させることができるので、衝撃吸収部１６をヘッド６の先端１０に確実に固定することができる。また、弓用保護具１２を取り外す場合には面ファスナー１８Ａ、１８Ｂを剥せばよく、容易に弓用保護具１２を取り外すことができる。
【００２１】
次に、上述した本実施形態の擦弦楽器の弓用保護具１２による作用効果を説明する。
【００２２】
本実施形態によれば、弓１の先端１０をバンド１４及び衝撃吸収部１６の挿入穴２０に挿入した状態で、バンド１４をヘッド６に巻き付けて固定することにより、衝撃吸収部１６を、弓１の先端１０を覆っている状態で固定することができる。特に、挿入穴２０がバンド１４の中央部から衝撃吸収部１６まで貫通するように形成されているので、バンド１４をヘッド６に巻き付けて固定したときに、挿入穴２０と弓１の先端１０とがバンド１４の長手方向に沿って直線的に配列される。その結果、弓１の先端１０を挿入穴２０に差し込む方向に沿ってバンド１４の締結力を作用させることができるので、衝撃吸収部１６を弓１の先端１０に確実に固定することができる。これにより、弓１の尖った先端１０が周囲の物や人に直接当たる事の無いように、弓１の先端１０を接触から保護することができる。
【００２３】
また、本実施形態によれば、衝撃吸収部１６の素材はフェルトなので、尖った弓１の先端１０を接触から保護するように衝撃を吸収できる。また、軽量であるので弓１に取り付けたときに弓１の重量バランスを崩すことがなく、弓１に傷を付けることも防止できる。
【００２４】
また、本実施形態によれば、バンド１４の素材はフェルトなので、弓１のヘッド６に容易に巻き付けることができ、また、軽量であるので弓１に取り付けたときに弓１の重量バランスを崩すことがなく、弓１に傷を付けることも防止できる。
【００２５】
また、本実施形態によれば、バンド１４の両端部において、衝撃吸収部１６が取り付けられている面とは反対側の面に、一対の面ファスナー１８Ａ、１８Ｂが設けられているので、バンド１４をヘッド６に巻き付けた状態でしっかりと固定することができる。また、面ファスナー１８Ａ、１８Ｂは着脱自在なので、弓用保護具１２を使用しないときには容易に弓１から取り外すこともできる。
【符号の説明】
【００２６】
１  弓
２  棹
４  毛箱
６  ヘッド
８  弓毛
１０  先端
１２  弓用保護具
１４  バンド
１６  衝撃吸収部
１８Ａ、１８Ｂ  面ファスナー
２０  挿入穴
【図１】
0003232420.tif 000003
【図２】
0003232420.tif 000004
【図３】
0003232420.tif 000005
【図４】
0003232420.tif 000006